【手続補正書】
【提出日】平成17年8月5日(2005.8.5)
【手続補正１】
【補正対象書類名】明細書
【補正対象項目名】特許請求の範囲
【補正方法】変更
【補正の内容】
【特許請求の範囲】
【請求項１】グラフトコポリマーの分子量を減少させる為の方法であって、実質的に非酸化雰囲気中で、
（ａ）プロピレンポリマー材料を遊離基重合開始剤である有機化合物で処理する工程、
（ｂ）該プロピレンポリマー材料を、工程（ａ）と同時の、或いは工程（ａ）に続く一定期間、重複して又は重複せずに、プロピレンポリマー材料１００部当たり約２〜約２４０部の、遊離基で重合する事のできる少なくとも一種のビニル置換グラフトモノマーで、モノマーの全質量当たり約０．５質量％〜約５質量％の、アリルアルコールの誘導体である重合可能な連鎖移動剤の存在下で処理する工程、及び
（ｃ）得られるグラフトプロピレンポリマー材料から未反応モノマーを除去し、未反応開始剤を分解し、そして該グラフトプロピレンポリマー材料の残留遊離基を失活させる工程、
を含む事を特徴とする方法。
【請求項２】ポリプロピレンポリマー材料が、
（ａ）８０よりも大きいアイソタクチック指数を有するプロピレンの結晶性ホモポリマー、
（ｂ）プロピレンと、エチレン及び４〜１０個の炭素原子のα−オレフィンから成る群から選ばれるオレフィンとの結晶性コポリマー（但し、オレフィンがエチレンである時は、最大の重合エチレン含有量は１０質量％であり、オレフィンが４〜１０個の炭素原子のα−オレフィンである時は、最大の重合α−オレフィン含有量は２０質量％である）であって、８５よりも大きいアイソタクチック指数を有するコポリマー、
（ｃ）プロピレンと、エチレン及び４〜８個の炭素原子のα−オレフィンから成る群から選ばれる二種類のオレフィンとの結晶性ターポリマー（但し、最大の重合４〜８個の炭素原子のα−オレフィン含有量は２０質量％であり、エチレンがオレフィンの一種である時は、最大の重合エチレン含有量は５質量％である）であって、８５よりも大きいアイソタクチック指数を有するターポリマー、
（ｄ）（ｉ）約１０質量％〜約６０質量％の、８０よりも大きいアイソタクチック指数を有する結晶性プロピレンホモポリマー又は（ａ）プロピレンとエチレン、（ｂ）プロピレン、エチレン及び４〜８個の炭素原子のα−オレフィン、及び（ｃ）プロピレンと４〜８個の炭素原子のα−オレフィンから成る群から選ばれるモノマーの結晶性コポリマーであって、８５質量％よりも多い重合プロピレン含有量と８５よりも大きいアイソタクチック指数を有するコポリマー、
（ｉｉ）約５質量％〜約２５質量％の、エチレンと、プロピレン又は４〜８個の炭素原子のα−オレフィンとのコポリマーであって、周囲温度でキシレンに不溶のコポリマー、及び
（ｉｉｉ）約３０質量％〜約７０質量の、（ａ）エチレンとプロピレン（ｂ）エチレン、プロピレン及び４〜８個の炭素原子のα−オレフィン、及び（ｃ）エチレンと４〜８個の炭素原子のα−オレフィンから成る群から選ばれるモノマーの弾性コポリマーであって、７０質量％未満の重合エチレンを含み、周囲温度でキシレンに可溶であり、極限粘度が約１．５〜約４．０ｄｌ／ｇである弾性コポリマーを含むオレフィンポリマー組成物であって、（ｉｉ）と（ｉｉｉ）の合計量が、全オレフィンポリマー組成物当たり約５０質量％〜約９０質量％であり、（ｉｉ）／（ｉｉｉ）の質量比が０．４未満であり、少なくとも二段階での重合によって調製され、１５０ＭＰａ未満の曲げ弾性率を有するオレフィンポリマー組成物、又は、
（ｅ）（ｉ）約１０質量％〜６０質量％の、８０よりも大きいアイソタクチック指数を有する結晶性プロピレンホモポリマー、又は、（ａ）エチレンとプロピレン、（ｂ）エチレン、プロピレン及び４〜８個の炭素原子のα−オレフィン、及び（ｃ）エチレンと４〜８個の炭素原子のα−オレフィンから成る群から選ばれるモノマーの結晶性コポリマーであって、８５質量％よりも多い重合プロピレン含有量と８５よりも大きいアイソタクチック指数を有するコポリマー、
（ｉｉ）約２０質量％〜約６０質量％の、（ａ）エチレンとプロピレン、（ｂ）エチレン、プロピレン及び４〜８個の炭素原子のα−オレフィン、及び（ｃ）エチレンと４〜８個の炭素原子のα−オレフィンから成る群から選ばれるモノマーの無定形コポリマーであって、７０質量％未満の重合エチレンを含み、周囲温度でキシレンに可溶である無定形コポリマー、及び
（ｉｉｉ）約３質量％〜約４０質量の、エチレンと、プロピレン又は４〜８個の炭素原子のα−オレフィンとのコポリマーであって、周囲温度でキシレンに不溶のコポリマーとを含む熱可塑性オレフィンであって、１５０ＭＰａより大きく１２００ＭＰａ未満の曲げ弾性率を有する熱可塑性オレフィン、
から成る群から選ばれる、請求項１に記載の方法。
【請求項３】プロピレンポリマー材料がプロピレンホモポリマーである、請求項２に記載の方法。
【請求項４】重合可能な連鎖移動剤がアリルアルコールのエーテルである、請求項１に記載の方法。
【請求項５】エーテルがアリルプロポキシレートである、請求項４に記載の方法。
【請求項６】グラフトモノマーがメチルメタクリレートとメチルアクリレートである、請求項１に記載の方法。
【請求項７】組成物であって、
（ａ）活性なグラフト部位を含むプロピレンポリマー材料、
（ｂ）該プロピレンポリマー材料１００部当たり約２〜約２４０部の少なくとも一種のビニル置換グラフトモノマー、及び、
（ｃ）モノマーの全質量当たり約０．５質量％〜約５質量％の、アリルアルコールの誘導体である重合可能な連鎖移動剤、
を含む事を特徴とする組成物。
【請求項８】プロピレンポリマー材料が、
（ａ）８０よりも大きいアイソタクチック指数を有するプロピレンの結晶性ホモポリマー、
（ｂ）プロピレンと、エチレン及び４〜１０個の炭素原子のα−オレフィンから成る群から選ばれるオレフィンとの結晶性コポリマー（但し、オレフィンがエチレンである時は、最大の重合エチレン含有量は１０質量％であり、オレフィンが４〜１０個の炭素原子のα−オレフィンである時は、最大の重合α−オレフィン含有量は２０質量％である）であって、８５よりも大きいアイソタクチック指数を有するコポリマー、
（ｃ）プロピレンと、エチレン及び４〜８個の炭素原子のα−オレフィンから成る群から選ばれる二種類のオレフィンとの結晶性ターポリマー（但し、最大の重合４〜８個の炭素原子のα−オレフィン含有量は２０質量％であり、エチレンがオレフィンの一種である時は、最大の重合エチレン含有量は５質量％である）であって、８５よりも大きいアイソタクチック指数を有するターポリマー、
（ｄ）（ｉ）約１０質量％〜約６０質量％の、８０よりも大きいアイソタクチック指数を有する結晶性プロピレンホモポリマー又は（ａ）プロピレンとエチレン、（ｂ）プロピレン、エチレン及び４〜８個の炭素原子のα−オレフィン、及び（ｃ）プロピレンと４〜８個の炭素原子のα−オレフィンから成る群から選ばれるモノマーの結晶性コポリマーであって、８５質量％よりも多い重合プロピレン含有量と８５よりも大きいアイソタクチック指数を有するコポリマー、
（ｉｉ）約５質量％〜約２５質量％の、エチレンと、プロピレン又は４〜８個の炭素原子のα−オレフィンとのコポリマーであって、周囲温度でキシレンに不溶のコポリマー、及び
（ｉｉｉ）約３０質量％〜約７０質量の、（ａ）エチレンとプロピレン（ｂ）エチレン、プロピレン及び４〜８個の炭素原子のα−オレフィン、及び（ｃ）エチレンと４〜８個の炭素原子のα−オレフィンから成る群から選ばれるモノマーの弾性コポリマーであって、７０質量％未満の重合エチレンを含み、周囲温度でキシレンに可溶であり、極限粘度が約１．５〜約４．０ｄｌ／ｇである弾性コポリマーを含むオレフィンポリマー組成物であって、（ｉｉ）と（ｉｉｉ）の合計量が、全オレフィンポリマー組成物当たり約５０質量％〜約９０質量％であり、（ｉｉ）／（ｉｉｉ）の質量比が０．４未満であり、少なくとも二段階での重合によって調製され、１５０ＭＰａ未満の曲げ弾性率を有するオレフィンポリマー組成物、又は、
（ｅ）（ｉ）約１０質量％〜６０質量％の、８０よりも大きいアイソタクチック指数を有する結晶性プロピレンホモポリマー、又は、（ａ）エチレンとプロピレン、（ｂ）エチレン、プロピレン及び４〜８個の炭素原子のα−オレフィン、及び（ｃ）エチレンと４〜８個の炭素原子のα−オレフィンから成る群から選ばれるモノマーの結晶性コポリマーであって、８５質量％よりも多い重合プロピレン含有量と８５よりも大きいアイソタクチック指数を有するコポリマー、
（ｉｉ）約２０質量％〜約６０質量％の、（ａ）エチレンとプロピレン、（ｂ）エチレン、プロピレン及び４〜８個の炭素原子のα−オレフィン、及び（ｃ）エチレンと４〜８個の炭素原子のα−オレフィンから成る群から選ばれるモノマーの無定形コポリマーであって、７０質量％未満の重合エチレンを含み、周囲温度でキシレンに可溶である無定形コポリマー、及び
（ｉｉｉ）約３質量％〜約４０質量の、エチレンと、プロピレン又は４〜８個の炭素原子のα−オレフィンとのコポリマーであって、周囲温度でキシレンに不溶のコポリマーとを含む熱可塑性オレフィンであって、１５０ＭＰａより大きく１２００ＭＰａ未満の曲げ弾性率を有する熱可塑性オレフィン、
から成る群から選ばれる、請求項７に記載の組成物。
【請求項９】プロピレンポリマー材料がプロピレンホモポリマーである、請求項８に記載の組成物。
【請求項１０】重合可能な連鎖移動剤がアリルアルコールのエーテルである、請求項７に記載の組成物。
【請求項１１】エーテルがアリルプロポキシレートである、請求項１０に記載の組成物。
【請求項１２】グラフトモノマーがメチルメタクリレートとメチルアクリレートである、請求項７に記載の組成物。